【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームがアップリンク通信のためのものであるという前記決定に基づいて、前記現在のフレキシブルサブフレームについて、チャネル測定、干渉測定、又はチャネル状態報告のうちの少なくとも１つを実行することと、ここにおいて、前記決定に基づいて、前記現在のフレキシブルサブフレームについて、チャネル測定、干渉測定、又はチャネル状態報告を前記実行することは、
前記現在のフレキシブルサブフレームの最後のシンボルにおけるチャネル状態情報基準信号（ＣＳＩ−ＲＳ）又は干渉測定リソース（ＩＭＲ）のうちの少なくとも１つに基づいてダウンリンクチャネル測定を実行することを備える、
を備える方法。
【請求項２】
前記決定することは、
前記現在のフレキシブルサブフレームがアップリンク通信のためのものであるという明示的なインジケーションを受信することを備える、請求項１に記載の方法。
【請求項３】
前記明示的なインジケーションは、ブロードキャストシグナリング又は専用シグナリングのうちの少なくとも１つを介して受信される、請求項２に記載の方法。
【請求項４】
ブロードキャストシグナリング又は専用シグナリングのうちの前記少なくとも１つは、前記現在のフレキシブルサブフレームとは異なるサブフレームにおいて受信される、請求項３に記載の方法。
【請求項５】
前記決定することは、
前記現在のフレキシブルサブフレームにおいて１つまたは複数のアップリンク信号のブラインド検出を実行することを備える、請求項１に記載の方法。
【請求項６】
前記１つまたは複数のアップリンク信号は、サウンディング基準信号（ＳＲＳ）、物理アップリンク制御チャネル（ＰＵＣＣＨ）、又は物理アップリンク共有チャネル（ＰＵＳＣＨ）のうちの少なくとも１つを備える、請求項５に記載の方法。
【請求項７】
前記決定に基づいて、前記現在のフレキシブルサブフレームについて、チャネル測定、干渉測定、又はチャネル状態報告を前記実行することが、チャネル測定又は干渉測定のうちの少なくとも１つについて前記現在のフレキシブルサブフレームをスキップすることを備える、請求項１に記載の方法。
【請求項８】
前記決定に基づいて、前記現在のフレキシブルサブフレームについて、チャネル測定、干渉測定、又はチャネル状態報告を前記実行することが、システム帯域幅の一部を使用して、又は全システム帯域幅を使用して、チャネル測定又は干渉測定を実行することを備える、請求項１に記載の方法。
【請求項９】
前記決定に基づいて、前記現在のフレキシブルサブフレームについて、チャネル測定、干渉測定、又はチャネル状態報告を前記実行することが、前記現在のフレキシブルサブフレームについてＣＳＩを報告することをスキップすることを備える、請求項１に記載の方法。
【請求項１０】
前記決定に基づいて、前記現在のフレキシブルサブフレームについて、チャネル測定、干渉測定、又はチャネル状態報告を前記実行することが、前記現在のフレキシブルサブフレームについてＣＳＩに関する所定の値を報告することを備える、請求項１に記載の方法。
【請求項１１】
前記決定に基づいて、前記現在のフレキシブルサブフレームについて、チャネル測定、干渉測定、又はチャネル状態報告を前記実行することが、前記現在のフレキシブルサブフレームの前の１つまたは複数のサブフレームにおいて実行された測定に基づいて前記現在のフレキシブルサブフレームについてＣＳＩに関する値を報告することを備える、請求項１に記載の方法。
【請求項１２】
前記決定に基づいて、前記現在のフレキシブルサブフレームについて、チャネル測定、干渉測定、又はチャネル状態報告を前記実行することが、セル固有基準信号（ＣＲＳ）、ＣＳＩ−ＲＳ、又はＩＭＲのうちの少なくとも１つに基づいてダウンリンクチャネル測定又は干渉測定を実行することを備える、請求項１に記載の方法。
【請求項１３】
物理アップリンク制御チャネル（ＰＵＣＣＨ）又は物理アップリンク共有チャネル（ＰＵＳＣＨ）のうちの少なくとも１つが、前記現在のフレキシブルサブフレームの前記最後のシンボルを使用しない、請求項１に記載の方法。
【請求項１４】
前記現在のフレキシブルサブフレームの前記ＣＳＩ−ＲＳ又は前記ＩＭＲは、固定アップリンクサブフレームにおいてアップリンク基準信号とリソースを共有する、請求項１３に記載の方法。
【請求項１５】
基地局によるワイヤレス通信のための方法であって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームの最後のシンボルにおいてユーザ機器（ＵＥ）にチャネル状態情報基準信号（ＣＳＩ−ＲＳ）又は干渉測定リソース（ＩＭＲ）のうちの少なくとも１つを送信することと、
前記少なくとも１つのＣＳＩ−ＲＳまたはＩＭＲに基づいて前記ＵＥから前記現在のフレキシブルサブフレームについてチャネル状態情報（ＣＳＩ）フィードバックを受信することと、
前記現在のフレキシブルサブフレームがアップリンク通信のためのものであるという前記決定に基づいて前記ＣＳＩフィードバックを処理することと
を備える方法。
【請求項１６】
前記決定の明示的なインジケーションを前記ＵＥに送信することをさらに備える、請求項１５に記載の方法。
【請求項１７】
前記明示的なインジケーションは、ブロードキャストシグナリング又は専用シグナリングのうちの少なくとも１つを介して送信される、請求項１６に記載の方法。
【請求項１８】
ブロードキャストシグナリング又は専用シグナリングのうちの前記少なくとも１つは、前記現在のフレキシブルサブフレームとは異なるサブフレームにおいて送信される、請求項１７に記載の方法。
【請求項１９】
ユーザ機器（ＵＥ）によるワイヤレス通信のための装置であって、
少なくとも１つのプロセッサであって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームがアップリンク通信のためのものであるという前記決定に基づいて、前記現在のフレキシブルサブフレームについて、チャネル測定、干渉測定、又はチャネル状態報告のうちの少なくとも１つを実行することと、ここにおいて、前記少なくとも１つのプロセッサは、
前記現在のフレキシブルサブフレームの最後のシンボルにおけるチャネル状態情報基準信号（ＣＳＩ−ＲＳ）又は干渉測定リソース（ＩＭＲ）のうちの少なくとも１つに基づいてダウンリンクチャネル測定を実行することによって、前記現在のフレキシブルサブフレームについて、チャネル測定、干渉測定、又はチャネル状態報告を実行する、
を行うように構成された少なくとも１つのプロセッサと、
前記少なくとも１つのプロセッサに結合されたメモリと
を備える装置。
【請求項２０】
前記現在のフレキシブルサブフレームがアップリンク通信のためのものであるという明示的なインジケーションを受信するように構成されたインターフェースを備え、前記決定は、前記明示的なインジケーションに基づく、請求項１９に記載の装置。
【請求項２１】
前記少なくとも１つのプロセッサは、前記現在のフレキシブルサブフレームにおいて１つまたは複数のアップリンク信号のブラインド検出を実行するようにさらに構成され、
前記決定は、前記ブラインド検出に基づく、請求項１９に記載の装置。
【請求項２２】
前記少なくとも１つのプロセッサは、チャネル測定又は干渉測定のうちの少なくとも１つについて前記現在のフレキシブルサブフレームをスキップすることによって、前記決定に基づいて、前記現在のフレキシブルサブフレームについて、チャネル測定、干渉測定、又はチャネル状態報告を実行する、請求項１９に記載の装置。
【請求項２３】
基地局によるワイヤレス通信のための装置であって、
少なくとも１つのプロセッサであって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームの最後のシンボルにおいてユーザ機器（ＵＥ）にチャネル状態情報基準信号（ＣＳＩ−ＲＳ）又は干渉測定リソース（ＩＭＲ）のうちの少なくとも１つを送信することと、
前記少なくとも１つのＣＳＩ−ＲＳまたはＩＭＲに基づいて前記ＵＥから前記現在のフレキシブルサブフレームについてチャネル状態情報（ＣＳＩ）フィードバックを受信することと、
前記現在のフレキシブルサブフレームがアップリンク通信のためのものであるという前記決定に基づいて前記ＣＳＩフィードバックを処理することと、
を行うように構成された少なくとも１つのプロセッサと、
前記少なくとも１つのプロセッサに結合されたメモリと
を備える装置。
【請求項２４】
前記決定の明示的なインジケーションを、前記ＵＥに送信するように構成されたインターフェースをさらに備える、請求項２３に記載の装置。